(57)【要約】【課題】  取付け用のビスを別途用意する必要がない、配線ボックス用カバー装置を提供する。【解決手段】  配線ボックス１に取り付けられるカバー２は、配線器具が通る開口２ａを有する。そして、カバー２には、ビス３を保持するビス保持部５が設けられている。そこで、配線ボックス用カバー装置４は、カバー２と、前記ビス保持部５に保持されたビス３とからなる。こうして、カバー装置４におけるビス３を用いて、カバー２を配線ボックス１に取り付けたり、あるいは、配線器具をカバー２に取り付けたりすることができる。【選択図】  図２
2010288401.tif 000002
【特許請求の範囲】
【請求項１】
配線器具が通る開口を有して配線ボックスに取り付けられるカバーと、ビスとからなる、配線ボックス用カバー装置であって、
前記カバーは、板状のカバー本体を備え、
前記カバーには、前記ビスを保持するビス保持部が、そのカバーの前面よりも前方に突出しないように設けられて、
前記ビスは、そのビスの軸が前記カバー本体の面方向に沿うようにして前記ビス保持部に保持されてなる、配線ボックス用カバー装置。
【請求項２】
前記ビス保持部は、前記開口に設けられる、請求項１に記載の配線ボックス用カバー装置。
【請求項３】
前記カバーは、前記カバー本体から枠状に前方に突出して内側が前記開口を構成する塗代部を備え、
前記ビス保持部は、前記カバーの前面となる前記塗代部の前面よりも前方に突出しないようにして、前記開口に設けられる、請求項２に記載の配線ボックス用カバー装置。
【請求項４】
前記ビス保持部は、前記開口の前後の厚み内に設けられる、請求項２または３に記載の配線ボックス用カバー装置。
【請求項５】
前記開口は、四角形状に形成されて、その四角形状のコーナー部に、前記ビス保持部が設けられる、請求項４に記載の配線ボックス用カバー装置。
【請求項６】
前記カバーには、そのカバーを前記配線ボックスに取付固定するための固定部が、前記ビス保持部に隣接して前記開口内に突出するように設けられる、請求項５に記載の配線ボックス用カバー装置。
【請求項７】
前記ビス保持部は、前記固定部と前記開口の内面に掛け渡るように設けられる基板部と、その基板部の裏面に設けられて前記ビスを保持する保持部本体とからなる、請求項６に記載の配線ボックス用カバー装置。
【請求項８】
前記ビス保持部は、前記開口の前後の厚みのうち、前側に設けられる、請求項４ないし７のいずれか１項に記載の配線ボックス用カバー装置。
【請求項９】
前記ビス保持部は、前記カバー本体の裏面に設けられる、請求項１に記載の配線ボックス用カバー装置。
【請求項１０】
前記カバーは、前記カバー本体から枠状に前方に突出して内側が前記開口を構成する塗代部を備える、請求項９に記載の配線ボックス用カバー装置。
【請求項１１】
前記カバーは、前記カバー本体から枠状に前方に突出して内側が前記開口を構成する塗代部を備え、
前記ビス保持部は、前記カバーの前面となる前記塗代部の前面よりも前方に突出しないようにして、前記カバー本体の前面または前記塗代部の外面に設けられる、請求項１に記載の配線ボックス用カバー装置。
【発明の詳細な説明】
【技術分野】
【０００１】
この発明は、配線ボックスに取り付けられるカバーに関するものである。
【背景技術】
【０００２】
従来、配線ボックスに取り付けられるカバーには、ビスが添付されていなかった（例えば、特許文献１参照）。
【先行技術文献】
【特許文献】
【０００３】
【特許文献１】特開２００６−３０４５５０号公報
【発明の概要】
【発明が解決しようとする課題】
【０００４】
そこで、前記従来のカバーを、配線ボックスに取り付けたり、そのカバーに配線器具を取り付けたりする場合には、作業者が、自分で取付用のビスを用意する必要があった。ここで、例えば配線ボックスにビスが添付されていたとしても、ビスが配線ボックスの底に添付されていると、ビスを取り外す際に、配線ボックスの奥まで手を差し入れなければならず、その取り外しが困難となる虞があった。また、ビスを取り外したとしても、そのビスの長さ等が、取り付けるカバーと合わない可能性があり、この場合には、カバーに合ったビスをあらためて用意する必要があった。
【０００５】
この発明は、上記した従来の欠点を解決するためになされたものであり、その目的とするところは、取付け用のビスを別途用意する必要がない、配線ボックス用カバー装置を提供することにある。
【課題を解決するための手段】
【０００６】
この発明に係る配線ボックス用カバー装置は、前記目的を達成するために、次の構成からなる。すなわち、
請求項１に記載の発明に係る配線ボックス用カバー装置は、配線器具が通る開口を有して配線ボックスに取り付けられるカバーと、ビスとからなる。ここで、前記カバーは、板状のカバー本体を備える。そして、前記カバーには、前記ビスを保持するビス保持部が、そのカバーの前面よりも前方に突出しないように設けられて、前記ビスは、そのビスの軸が前記カバー本体の面方向に沿うようにして前記ビス保持部に保持されている。こうして、カバーのビス保持部にビスが保持されることで、そのビスを用いて、カバーを配線ボックスに取り付けたり、あるいは、配線器具をカバーに取り付けたりすることができる。ここにおいて、ビス保持部は、カバーの前面よりも前方に突出しないように設けられており、このため、カバーを配線ボックスとともに、例えば、建物のコンクリート壁に埋設する場合に、そのコンクリート壁を成形するための型枠に、ビス保持部が干渉することがなく、また、例えば、カバーを配線ボックスとともに、建物の壁の裏側に配備する場合には、その壁に、ビス保持部が干渉することがない。さらに、ビスは、カバー本体の面方向に沿うようにしてビス保持部に保持されており、このため、ビス保持部にビスが保持されたカバー装置は、嵩張らず、その運搬とか保管性に優れる。
【０００７】
また、請求項２に記載の発明に係る配線ボックス用カバー装置は、請求項１に記載の配線ボックス用カバー装置において、前記ビス保持部は、前記開口に設けられる。
【０００８】
また、請求項３に記載の発明に係る配線ボックス用カバー装置は、請求項２に記載の配線ボックス用カバー装置において、前記カバーは、前記カバー本体から枠状に前方に突出して内側が前記開口を構成する塗代部を備える。そして、前記ビス保持部は、前記カバーの前面となる前記塗代部の前面よりも前方に突出しないようにして、前記開口に設けられる。
【０００９】
また、請求項４に記載の発明に係る配線ボックス用カバー装置は、請求項２または３に記載の配線ボックス用カバー装置において、前記ビス保持部は、前記開口の前後の厚み内に設けられる。
【００１０】
また、請求項５に記載の発明に係る配線ボックス用カバー装置は、請求項４に記載の配線ボックス用カバー装置において、前記開口は、四角形状に形成されて、その四角形状のコーナー部に、前記ビス保持部が設けられる。これにより、カバーの開口に配線器具を通すにあたって、配線器具がビス保持部と干渉するのを避けることができる。
【００１１】
また、請求項６に記載の発明に係る配線ボックス用カバー装置は、請求項５に記載の配線ボックス用カバー装置において、前記カバーには、そのカバーを前記配線ボックスに取付固定するための固定部が、前記ビス保持部に隣接して前記開口内に突出するように設けられる。こうして、固定部が、開口のコーナー部に設けられたビス保持部に隣接することで、開口内の使われていない空間を有効に利用することができる。
【００１２】
また、請求項７に記載の発明に係る配線ボックス用カバー装置は、請求項６に記載の配線ボックス用カバー装置において、前記ビス保持部は、前記固定部と前記開口の内面に掛け渡るように設けられる基板部と、その基板部の裏面に設けられて前記ビスを保持する保持部本体とからなる。こうして、基板部が、固定部と開口の内面とに掛け渡ることで、カバーの剛性を高めることができる。
【００１３】
また、請求項８に記載の発明に係る配線ボックス用カバー装置は、請求項４ないし７のいずれか１項に記載の配線ボックス用カバー装置において、前記ビス保持部は、前記開口の前後の厚みのうち、前側に設けられる。これにより、配線器具に接続するための配線を、開口から前方に引き出す際に、その配線がビス保持部と接触しにくくなり、配線が傷付くのを防ぐことができる。
【００１４】
また、請求項９に記載の発明に係る配線ボックス用カバー装置は、請求項１に記載の配線ボックス用カバー装置において、前記ビス保持部は、前記カバー本体の裏面に設けられる。
【００１５】
また、請求項１０に記載の発明に係る配線ボックス用カバー装置は、請求項９に記載の配線ボックス用カバー装置において、前記カバーは、前記カバー本体から枠状に前方に突出して内側が前記開口を構成する塗代部を備える。
【００１６】
また、請求項１１に記載の発明に係る配線ボックス用カバー装置は、請求項１に記載の配線ボックス用カバー装置において、前記カバーは、前記カバー本体から枠状に前方に突出して内側が前記開口を構成する塗代部を備える。そして、前記ビス保持部は、前記カバーの前面となる前記塗代部の前面よりも前方に突出しないようにして、前記カバー本体の前面または前記塗代部の外面に設けられる。
【発明の効果】
【００１７】
この発明に係る配線ボックス用カバー装置によれば、カバーのビス保持部にビスが保持されることで、カバーを配線ボックスに取り付けたり、あるいは、配線器具をカバーに取り付けたりするにあたって、ビスを別途用意する必要がない。
【図面の簡単な説明】
【００１８】
【図１】この発明の一実施の形態の、カバー装置の表側からの斜視図である。
【図２】同じく、カバー装置の裏側からの斜視図である。
【図３】同じく、カバーの正面図である。
【図４】同じく、図３におけるＡ−Ａ線による断面図である。
【図５】同じく、カバーの背面図である。
【図６】同じく、カバーを配線ボックスに取り付ける過程を示す斜視図である。
【図７】この発明の第１変形形態を示す、カバー装置の表側からの斜視図である。
【図８】同じく、カバーを配線ボックスに取り付ける過程を示す斜視図である。
【図９】この発明の第２変形形態を示す、カバー装置の表側からの斜視図である。
【図１０】この発明の第３変形形態を示す、カバー装置の裏側からの斜視図である。
【図１１】同じく、カバーの背面図である。
【図１２】この発明の第４変形形態を示す、カバー装置の裏側からの斜視図である。
【図１３】この発明の第５変形形態を示す、カバー装置の裏側からの斜視図である。
【図１４】同じく、カバー装置の要部拡大断面図である。
【図１５】この発明の第６変形形態を示す、カバー装置の表側からの斜視図である。
【図１６】この発明の第７変形形態を示す、カバー装置の表側からの斜視図である。
【発明を実施するための形態】
【００１９】
以下、この発明に係る配線ボックス用カバー装置を実施するための形態を図面に基づいて説明する。
【００２０】
図１〜図６は、本発明の一実施の形態を示す。図中符号１は、配線ボックスである。２は、前記配線ボックス１に取り付けられる配線ボックス用カバーであって、配線器具が通る開口２ａを有する。３は、ビスである。４は、前記カバー２と前記ビス３とからなる配線ボックス用カバー装置である。
【００２１】
ここで、前記カバー２は、板状のカバー本体６を備える。また、カバー２には、ビス３を保持するビス保持部５が、そのカバー２の前面２ｂよりも前方に突出しないように設けられている。そして、前記カバー装置４にあっては、前記ビス３が前記ビス保持部５に保持されている。詳細には、ビス３は、そのビス３の軸がカバー本体６の面方向に沿うようにしてビス保持部５に保持される。また、図示実施の形態においては、ビス３は、カバー２を配線ボックス１に取り付けるためのものである。
【００２２】
具体的には、配線ボックス１は、例えば合成樹脂製であって、前方が開放した箱形形状、例えば直方体形状をしている。そして、この配線ボックス１は、その周壁１ａに、前記カバー２が取付固定される被固定部１ｂ、１ｂが設けられている。詳細には、この被固定部１ｂは、周壁１ａの前端部であって、対角線上の二箇所のコーナーから若干離れた位置において、内側に突出して形成されている。そして、この被固定部１ｂには、カバー２を取付固定するためのビス３が挿入される（詳しくは、ねじ込まれる）被固定孔１ｃがあけられている。
【００２３】
カバー２は、例えば合成樹脂製である。そして、前記ビス保持部５は、カバー２の前面２ｂ（図示実施の形態においては、後述する塗代部７の前面７ａ）よりも前方に突出しないようにして前記開口２ａに設けられる。詳しくは、ビス保持部５は、開口２ａの前後の厚み内に設けられ、特に、開口２ａの前後の厚みのうち、前側に設けられる。そこで、ビス３は、そのビス３の軸が、カバー本体６の面方向に沿うようにして（図示実施の形態においては、カバー本体６の面方向と平行となって）ビス保持部５に保持される。また、カバー２の開口２ａは、四角形状に形成されて、その四角形状のコーナー部（詳しくは、対角線上の二箇所のコーナー部）に、前記ビス保持部５が設けられる。
【００２４】
詳細には、カバー２は、前記カバー本体６と、そのカバー本体６から枠状に前方に突出して内側が前記開口２ａを構成する塗代部７とを備える。より詳細には、カバー本体６は、平板枠形状であって、特にその内外周が四角形状（詳しくは、方形形状）に形成されている。そして、塗代部７は、カバー本体６の内縁から前方に突出して形成され、こうして、開口２ａが、四角形状（詳しくは、方形形状）に形成される。
【００２５】
また、カバー２には、そのカバー２を配線ボックス１に取付固定するための固定部２ｃ、２ｃが、配線ボックス１の前記被固定部１ｂ、１ｂに対向する位置に設けられる。詳細には、この固定部２ｃは、ビス保持部５に隣接して開口２ａ内に突出するように設けられる。そして、この固定部２ｃには、前記ビス３が挿通する固定孔２ｄがあけられている。すなわち、カバー２は、その固定孔２ｄを挿通して前記被固定部１ｂにおける被固定孔１ｃに挿入されるビス３により、配線ボックス１に取り付けられる。
【００２６】
ここにおいて、ビス保持部５は、固定部２ｃと開口２ａの内面に掛け渡るように設けられる基板部５ａと、その基板部５ａ（詳しくは、基板部５ａの裏面）に設けられて前記ビス３を保持する保持部本体５ｂとからなる。ここで、基板部５ａは、塗代部７の前面７ａと面一になるようして板状に形成される。そして、保持部本体５ｂは、基板部５ａから、ビス３の軸部を挟むように突出する一対の保持片５ｃ、５ｃからなる。
【００２７】
また、カバー２には、前記配線器具が取付固定される被固定部２ｅ、２ｅが設けられている。この被固定部２ｅは、開口２ａの内面から開口２ａ内に突出するように設けられ、その被固定部２ｅには、配線器具を取付固定するためのビスが挿入される（詳しくは、ねじ込まれる）被固定孔２ｆがあけられている。
【００２８】
次に、以上の構成からなるカバー２を含めたカバー装置４の作用効果について説明する。このカバー装置４によれば、カバー２は、そのビス保持部５にビス３が保持される。そこで、そのビス３をビス保持部５から取り外して、そのビス３を用いて、カバー２を配線ボックス１に取り付けることができる。すなわち、カバー２を配線ボックス１に取り付けるにあたって、ビスを別途用意する必要がない。このため、この取付作業を迅速に行うことができる。
【００２９】
そして、カバー２を配線ボックス１に取り付けるためのビス３を、カバー２（詳しくは、カバー２に設けられたビス保持部５）に保持させることで、配線ボックス１に対して、カバー２が複数種類ある場合にも、それぞれのカバー２における固定部２ｃの前後の厚みを考慮した長さのビス３を、そのカバー２に保持させておくことができる。
【００３０】
また、ビス保持部５は、開口２ａの四角形状のコーナー部に設けられており、これにより、カバー２の開口２ａに配線器具を通すにあたって、配線器具がビス保持部５と干渉するのを避けることができる。
【００３１】
また、ビス保持部５は、開口２ａの前後の厚みのうちの前側に設けられており、これにより、配線器具に接続するための配線を、開口２ａから前方に引き出す際に、その配線がビス保持部５と接触しにくくなり、配線が傷付くのを防ぐことができる。特に、配線ボックス１およびカバー２を建物の壁の裏側に配備する場合であって、その壁に、表側からカバー２の開口２ａに通ずる孔をあける場合に、ビス保持部５が孔あけ工具で荒らされたとしても、そのビス保持部５に配線が接触しにくいことから、配線が傷付くのを防ぐことができる。
【００３２】
また、ビス保持部５において、基板部５ａが、固定部２ｃと開口２ａの内面とに掛け渡っており、これにより、カバー２の剛性を高めることができる。また、このことから、例えば、配線ボックス１およびこのカバー２を、建物のコンクリート壁に埋設する場合であっても、コンクリートの打設の際の圧力によるカバー２の変形を抑えることができる。
【００３３】
また、ビス保持部５は、カバー２の前面２ｂとなる塗代部７の前面７ａよりも前方に突出しないように設けられている。このため、カバー２を配線ボックス１とともに、建物のコンクリート壁に埋設する場合に、そのコンクリート壁を成形するための型枠に、ビス保持部５が干渉することがなく、また、カバー２を配線ボックス１とともに、建物の壁の裏側に配備する場合には、その壁に、ビス保持部５が干渉することがない。
【００３４】
また、ビス３は、カバー本体６の面方向に沿うようにして（図示実施の形態においては、カバー本体６の面方向と平行となって）ビス保持部５に保持される。このため、カバー２のビス保持部５にビス３が保持されたカバー装置４は、嵩張らず、その運搬とか保管性に優れることとなる。
【００３５】
また、ビス３は、カバー２の開口２ａに設けられたビス保持部５に保持されて、その開口２ａ部分に配備されている。このため、ビス３を含むカバー装置４の状態で、配線ボックス１に宛がっても、ビス３が配線ボックス１と干渉することがない。したがって、ビス３を含むカバー装置４を配線ボックス１に宛がった後に、ビス３をカバー２から取り外し、そのビス３でカバー２を配線ボックス１に取り付けることができ、こうすることで、予めビス３をカバー２から取り外してそのビス３を手に持った状態で、カバー２を配線ボックス１に宛がう必要がなく、その取付け作業を効率よく行うことができる。
【００３６】
また、カバー２を配線ボックス１に取付固定するための固定部２ｃが、開口２ａのコーナー部に設けられたビス保持部５に隣接することで、開口２ａ内の使われていない空間を有効に利用することができる。
【００３７】
なお、本発明は、上述した実施の形態に限定されるわけではなく、その他種々の変更が可能である。例えば、図７に示すように、ビス保持部５は、カバー２の開口２ａにおいて、その内側に突出するとともに、後方に延びて開口２ａからはみ出るように延出形成された、ビス３の軸部を挟む一対の保持片５ｃ、５ｃからなっていてもよい。ここで、ビス３は、そのビス３の軸がカバー本体６の面方向に沿うようにして（図示実施の形態においては、カバー本体６の面方向と平行となって）ビス保持部５に保持されている。そして、このビス保持部５により、ビス３は、その頭部側が開口２ａ内方向に突き出た状態で、すなわち、開口２ａから表側に臨む状態で保持されて、ビス３を含むカバー装置４の状態で、配線ボックス１に宛がっても、ビス３が配線ボックス１と干渉することがない。したがって、ビス３を含むカバー装置４を配線ボックス１に宛がった後に、ビス３をカバー２から取り外し、そのビス３でカバー２を配線ボックス１に取り付けることができ、こうすることで、予めビス３をカバー２から取り外してそのビス３を手に持った状態で、カバー２を配線ボックス１に宛がう必要がなく、その取付け作業を効率よく行うことができる。図８は、このカバー２を、ビス３、３を用いて配線ボックス１に取り付ける過程を示す斜視図である。
【００３８】
また、ビス保持部５は、カバー２の開口２ａに設けられなくとも、図９、図１０〜図１１、図１２の三つの例に示すように、カバー本体６の裏面６ｂに設けられて、ビス３が、そのビス３の軸がカバー本体６の面方向に沿うようにして（図示実施の形態においては、カバー本体６の面方向と平行となって）ビス保持部５に保持されてもよい。ここで、図９に示す例では、ビス保持部５は、カバー本体６の裏面６ｂから突出するように形成された、ビス３の軸部を挟む一対の保持片５ｃ、５ｃからなる。そして、このビス保持部５により、ビス３は、その頭部側が開口２ａ内方向に突き出た状態で、すなわち、開口２ａから表側に臨む状態で保持されて、ビス３を含むカバー装置４の状態で、配線ボックス１に宛がっても、ビス３が配線ボックス１と干渉することがない。したがって、ビス３を含むカバー装置４を配線ボックス１に宛がった後に、ビス３をカバー２から取り外し、そのビス３でカバー２を配線ボックス１に取り付けることができ、こうすることで、予めビス３をカバー２から取り外してそのビス３を手に持った状態で、カバー２を配線ボックス１に宛がう必要がなく、その取付け作業を効率よく行うことができる。また、図１０〜図１１に示す例では、同様に、ビス保持部５は、カバー本体６の裏面６ｂから突出するように形成された、ビス３の軸部を挟む一対の保持片５ｃ、５ｃからなり、このビス保持部５により、ビス３は、その頭部側が開口２ａ内方向に突き出た状態で、すなわち、開口２ａから表側に臨む状態で保持される。そして、このビス保持部５は、配線ボックス１の内面１ｄ（図１１において、二点鎖線で示す）にちょうど嵌まる位置にあり、これにより、例えば、配線ボックス１およびこのカバー２を、建物のコンクリート壁に埋設する場合であっても、コンクリートの打設の際の圧力による配線ボックス１の変形を抑えることができる。図１２に示す例では、ビス保持部５は、カバー本体６の裏面６ｂに設けられた凹部６ｃから突出するように形成された、ビス３の軸部を挟む一対の保持片５ｃ、５ｃからなる。そして、このビス３は、凹部６ｃ部分において、ビス保持部５に保持される。
【００３９】
また、図１３〜図１４に示す例では、ビス保持部５は、カバー本体６の裏面６ｂに設けられるが、ビス３は、そのビス３の軸が、カバー本体６の面方向に沿うようにして（図示実施の形態においては、カバー本体６の面方向とわずかに傾いて）ビス保持部５に保持される。ここで、ビス保持部５は、カバー本体６の裏面６ｂにおいて、ビス３を保持するように窪んで形成されており、ビス３の軸部３ａが圧入状態で嵌まる第１窪み５ｄとビス３の頭部３ｂが遊嵌状態で嵌まる第２窪み５ｅとからなる。
【００４０】
また、図１５、図１６に示すように、ビス保持部５は、カバー２の前面２ｂ（図示実施の形態においては、塗代部７の前面７ａ）よりも前方に突出しないようにしてカバー本体６の前面６ａまたは塗代部７の外面７ｂに設けられて、ビス３が、そのビス３の軸がカバー本体６の面方向に沿うようにして（図示実施の形態においては、カバー本体６の面方向と平行となって）ビス保持部５に保持されてもよい。ここで、図１５に示す例では、ビス保持部５は、カバー本体６の前面６ａから突出するように形成された、ビス３の軸部を挟む一対の保持片５ｃ、５ｃからなる。そして、図１６に示す例では、ビス保持部５は、塗代部７の外面７ｂから突出するように形成された、ビス３の軸部を挟む一対の保持片５ｃ、５ｃからなる。このように、ビス保持部５が、カバー本体６の前面６ａとか塗代部７の外面７ｂに設けられることで、ビス３を含むカバー装置４の状態で、配線ボックス１に宛がっても、ビス３が配線ボックス１と干渉することがない。したがって、ビス３を含むカバー装置４を配線ボックス１に宛がった後に、ビス３をカバー２から取り外し、そのビス３でカバー２を配線ボックス１に取り付けることができ、こうすることで、予めビス３をカバー２から取り外してそのビス３を手に持った状態で、カバー２を配線ボックス１に宛がう必要がなく、その取付け作業を効率よく行うことができる。しかも、ビス保持部５が、カバー本体６の前面６ａとか塗代部７の外面７ｂに設けられることで、このカバー２が配線ボックス１とともに建物のコンクリート壁に埋設された場合に、ビス保持部５がコンクリートに埋め込まれるため、美観を害すことがない。
【００４１】
また、カバー２が塗代部７を備える場合には、通常は、そのままの向きで、つまり、塗代部７が前方に突出することとなる正規の向きで用いるが、ビス保持部５が、カバー２の裏面、つまりカバー本体６の裏面よりも後方に突出しない場合には（図４、図１５、図１６参照）、反転した逆の向きで用いてもよい。すなわち、カバー２を、正規の向きか逆の向きかで選択して用いることができる。したがって、例えば、カバー２が配線ボックス１とともに建物のコンクリート壁に埋設される場合には、そのカバー２を正規の向きで用い、カバー２が配線ボックス１とともに建物の壁の裏側に配備する場合は、そのカバー２を逆の向きで用いるようにしてもよい。
【００４２】
また、カバー２における塗代部７は、状況に応じて設けられるものであり、その有無は、図１５、図１６を除き、図示実施の形態に限定されるものではない。
【００４３】
また、ビス保持部５に保持されるビス３は、カバー２を配線ボックス１に取り付けるためのビスでなくとも、配線器具をカバー２に取り付けるためのビスであってもよい。これにより、このビス３を、ビス保持部５から取り外して、そのビス３を用いて、配線器具をカバー２に取り付けることができる。すなわち、配線器具をカバー２に取り付けるにあたって、ビスを別途用意する必要がない。このため、この取付作業を迅速に行うことができる。
【符号の説明】
【００４４】
１  配線ボックス
２  カバー
２ａ  開口
２ｂ  前面
２ｃ  固定部
３  ビス
４  カバー装置（配線ボックス用カバー装置）
５  ビス保持部
５ａ  基板部
５ｂ  保持部本体
６  カバー本体
６ａ  前面
７  塗代部
７ａ  前面
７ｂ  外面
【図１】
2010288401.tif 000003
【図２】
2010288401.tif 000004
【図３】
2010288401.tif 000005
【図４】
2010288401.tif 000006
【図５】
2010288401.tif 000007
【図６】
2010288401.tif 000008
【図７】
2010288401.tif 000009
【図８】
2010288401.tif 000010
【図９】
2010288401.tif 000011
【図１０】
2010288401.tif 000012
【図１１】
2010288401.tif 000013
【図１２】
2010288401.tif 000014
【図１３】
2010288401.tif 000015
【図１４】
2010288401.tif 000016
【図１５】
2010288401.tif 000017
【図１６】
2010288401.tif 000018